(57)【要約】【課題】従来技術を改善すること。【解決手段】本発明のセンサユニットは、特にコンパクトに構築することができるという利点を有している。なぜなら、本発明の回路支持体は、内部インターフェースのみを形成しており、保護スリーブの第１の端部に配置されているからである。プリント基板は、保護スリーブの内部で、同時に構造部材として構成されており、第１の端面において回路支持体と接合されている。プリント基板は、第２の端面においては、プリント基板を保護スリーブに対して支持する支持ユニットと接合されている。これによって有利には、センサユニットの構造高さを低減することができる。【選択図】図２
2013205418.tif 000002
【特許請求の範囲】
【請求項１】
保護スリーブ（２０）を備えるセンサユニットであって、
前記保護スリーブ（２０）の中には、特に液圧ブロックの圧力を検出する少なくとも１つの測定セル（５０）と、実質的に垂直に立設されたプリント基板（４０）を備える回路支持体（６０）とが配置されており、
前記プリント基板（４０）は、少なくとも１つの電子部品及び／又は電気部品（４４．１，４４．２）を備える電子回路（４４）を含み、
前記測定セル（５０）は、少なくとも１つの接続点（５４）を有しており、
前記接続点（５４）を介して前記測定セル（５０）の少なくとも１つの電気出力信号が取り出し可能であり、
前記回路支持体（６０）は、前記測定セル（５０）の前記少なくとも１つの電気出力信号を取り出して前記電子回路（４４）に印加する内部インターフェース（２６）を有しており、
外部インターフェース（２８）を介して、前記電子回路（４４）の出力信号が取り出し可能であり、
前記内部インターフェース（２６）は、前記保護スリーブ（２０）の第１の端部（２０．１）に形成されており、前記外部インターフェース（２８）は、前記保護スリーブ（２０）の第２の端部（２０．２）に形成されている、
センサユニットにおいて、
実質的に垂直に立設された前記プリント基板（４０）は、ベース支持体（４２）を含み、
前記ベース支持体（４２）は、第１の端面において、第１の継手形状部（４２．３）を有しており、
前記第１の継手形状部（４２．３）は、前記回路支持体（６０）のベースボディ（６２）に設けられた外側の継手形状部（６２．１）と接合されており、
前記プリント基板（４０）の前記ベース支持体（４２）は、第２の端面において、第２の継手形状部（４２．１）を有しており、
前記第２の継手形状部（４２．１）は、前記保護スリーブ（２０）の前記第２の端部（２０．２）に配置された支持ユニット（３０）のベースボディ（３２）に設けられた継手形状部（３２．１）と接合されており、
前記支持ユニット（３０）は、前記プリント基板（４０）を、前記保護スリーブ（２０）に対して支持している、
ことを特徴とするセンサユニット。
【請求項２】
前記回路支持体（６０）の前記ベースボディ（６２）は、内側の継手形状部（６２．２）を備える円筒として形成されており、
前記内側の継手形状部（６２．２）は、前記測定セル（５０）の外側輪郭（５６）に適合しており、前記測定セル（５０）を包囲している、
ことを特徴とする請求項１記載のセンサユニット。
【請求項３】
前記回路支持体（６０）の前記ベースボディ（６２）に設けられた前記外側の継手形状部（６２．１）は、２つの収容ポケットを含み、
前記収容ポケットは、それぞれ、前記プリント基板（４０）の電気的コンタクトのための少なくとも１つの第１のコンタクト手段（６４．１）を含む、
ことを特徴とする請求項１又は２記載のセンサユニット。
【請求項４】
前記少なくとも１つの第１のコンタクト手段（６４．１）は、前記回路支持体（６０）の前記ベースボディ（６２）の表面に外在する導体路（６４．２）を介して、前記測定セル（５０）の電気的コンタクトのための少なくとも１つの第２のコンタクト手段（６４．３）と接続されている、
ことを特徴とする請求項３記載のセンサユニット。
【請求項５】
前記プリント基板（４０）の前記第１の継手形状部（４２．３）は、前記ベース支持体（４２）の切欠部として形成されており、
前記切欠部は、２つの対向する側において、それぞれガイド脚部（４２．４）によって画定されており、
前記プリント基板（４０）の前記第１の継手形状部（４２．３）の２つの前記ガイド脚部（４２．４）は、それぞれ、前記回路支持体（６０）の前記外側の継手形状部（６２．１）の収容ポケットと接合されている、
ことを特徴とする請求項３又は４記載のセンサユニット。
【請求項６】
実質的に垂直に立設された前記プリント基板（４０）の前記ベース支持体（４２）は、前記第１の継手形状部（４２．３）の領域において、第１のコンタクト手段（４６．１）を有しており、
前記第１のコンタクト手段（４６．１）は、前記回路支持体（６０）の前記ベースボディ（６２）に設けられた前記外側の継手形状部（６２．１）の領域にある、対応する第１のコンタクト手段（６４．１）と共に、電気的な前記内部インターフェース（２６）を形成している、
ことを特徴とする請求項１から５のいずれか一項記載のセンサユニット。
【請求項７】
実質的に垂直に立設された前記プリント基板（４０）の前記ベース支持体（４２）は、前記第２の継手形状部（４２．１）の領域において、第２のコンタクト手段（４６．２）を有しており、
前記第２のコンタクト手段（４６．２）は、対応する外部のコンタクト手段（７０）によってコンタクト可能であり、電気的な前記外部インターフェース（２８）を形成している、
ことを特徴とする請求項１から６のいずれか一項記載のセンサユニット。
【請求項８】
前記第２のコンタクト手段（４６．２）は、冗長的なコンタクト面として構成されており、
前記冗長的なコンタクト面は、それぞれ、前記プリント基板（４０）の前記ベース支持体（４２）の表面及び裏面に配置されている、
ことを特徴とする請求項７記載のセンサユニット。
【請求項９】
前記支持ユニット（３０）は、前記外部のコンタクト手段（７０）を案内するためのガイド手段（３２．２）を有している、
ことを特徴とする請求項７又は８記載のセンサユニット。
【請求項１０】
前記外部のコンタクト手段（７０）は、２つの脚部（７２）を備えるコンタクトクリップとして構成されており、
２つの前記脚部（７２）は、前記プリント基板（４０）の前記ベース支持体（４２）の差込方向に対して垂直にコンタクト力（Ｆｋ）が作用するように、冗長的なコンタクト面として構成された前記第２のコンタクト手段（４６．２）の上に被せられている、
ことを特徴とする請求項７から９のいずれか一項記載のセンサユニット。
【発明の詳細な説明】
【技術分野】
【０００１】
本発明は、独立請求項１の上位概念に記載のセンサユニットに関する。
【背景技術】
【０００２】
例えば、国際公開第２００９／００７２８６号広報から、圧力測定セルのための接続ユニットが公知である。この公知の接続ユニットは、保護スリーブを含み、該保護スリーブの中には、特に液圧ブロックの圧力を検出する少なくとも１つの測定セルと、垂直に立設されたプリント基板を有する回路支持体とが配置されており、前記プリント基板は、少なくとも１つの電子部品及び／又は電気部品を備える電子回路を含む。回路支持体は、円筒形の下部領域と円筒形の上部領域とを有しており、これらの領域は、長方形の中央の区分を介して互いに接続されており、垂直に立設されたプリント基板は、回路支持体の２つの円筒形の区分同士の間に、長方形の中央の区分に対して平行に配置されている。圧力測定セルは、少なくとも１つの接続点を有しており、この接続点を介して、圧力測定セルの少なくとも１つの電気出力信号が取り出し可能である。回路支持体は、圧力測定セルの少なくとも１つの電気出力信号を取り出して電子回路に印加する内部インターフェースと、外部インターフェースとを有しており、該外部インターフェースを介して、電子回路の出力信号が取り出し可能である。ここでは、内部インターフェースは、保護スリーブの第１の端部に形成されており、外部インターフェースは、保護スリーブの第２の端部に形成されている。さらに回路支持体は、接続点を電子回路とコンタクトさせるために、少なくとも１つの外在する導体路を有する。さらに、少なくとも１つのコンタクト手段が設けられており、該コンタクト手段を介して電子回路の出力信号が取り出し可能であり、前記電子回路は、回路支持体の、少なくとも１つの外在する導体路を介してこのコンタクト手段に接続されている。圧力測定セルと回路支持体の間のコンタクト、乃至、回路支持体とプリント基板の間のコンタクト、乃至、電子部品同士の間のコンタクトは、相応の導電性接着剤による接続によって行われる。この導電性接着剤による接続を形成するために、回路支持体は、導電性接着剤ドームを有しており、圧力測定セル乃至プリント基板乃至電子部品は、対応する導電性接着剤面を有している。回路支持体は、有利には、電気めっき可能なプラスチックからなるプラスチックプレ射出成形体と、電気めっき不能な第２のプラスチックから形成されており、導体路及び導電性接着剤ドームは、電気めっきプロセスによって、電気めっきされたプラスチックの上の金属の表面コーティングとして形成される。接続ユニットと組付け制御装置とを解離可能に直接接続させるために、相応のコンタクト手段は、有利にはコンタクトリベットとして構成されており、コンタクトリベットは、導電性接着剤を用いて、導体路と接続された開口の中に接着される。
【先行技術文献】
【特許文献】
【０００３】
【特許文献１】国際公開第２００９／００７２８６号広報
【発明の概要】
【発明が解決しようとする課題】
【０００４】
本発明の課題は、上述した従来技術を改善することである。
【課題を解決するための手段】
【０００５】
このような従来技術に対して、独立請求項１に記載した特徴を有する本発明のセンサユニットは、特にコンパクトに構築することができるという利点を有している。なぜなら、本発明の回路支持体は、内部インターフェースのみを形成しており、保護スリーブの第１の端部に配置されているからである。プリント基板は、保護スリーブの内部で、同時に構造部材として構成されており、第１の端面において回路支持体と接合されている。プリント基板は、第２の端面においては、プリント基板を保護スリーブに対して支持する支持ユニットと接合されている。これによって有利には、センサユニットの構造高さを低減することができる。
【０００６】
本発明のセンサユニットの実施形態は、モジュラー式の構造を有しており、従って有利には、種々のセンサ及びユーザインターフェースを使用することができる。さらには、支持ユニット及び回路支持体と接続された保護スリーブによって、統合された接触保護を提供することができ、この接触保護によって、組付中、乃至、使用中おける故障可能性が低減される。さらに、外部インターフェースのために、有利には、プリント基板に対して外部の静的なコンタクト力が作用することのない、冗長的なコンタクト手段を提供することができる。
【０００７】
本発明の核心部分は、これまでは離散的だった複数の部品乃至機能を、１つの構成部材に統合して組み合わせることにある。このように組み合わされた構成部材は、より大きな自由度を有しているので、よりフレキシブルに使用することができる。多重の機能を有する、このような組み合わされた構成部材を使用することによって、測定セルを電気的にコンタクトさせる回路支持体と、該回路支持体に差し込み及び／又は接着された、有利には両側で実装可能な垂直に立設されたプリント基板と、有利には前記垂直に立設されたプリント基板の上に被せ嵌められた及び／又は接着された支持エレメントと、測定セルを支持するフランジを備えた保護スリーブと、を含むモジュラー式の結合体からなるセンサユニットが提供される。プリント基板の上には、例えば測定セルの生信号の信号増幅及び／又は処理を実施する電子回路が配置されている。さらに、特定用途向け集積回路（ＡＳＩＣ）を使用する場合には、プリント基板の上に相応の保護回路を設けることができる。付加機能として、支持エレメントの中に、プリント基板の第２のコンタクト手段と共に外部インターフェースを形成する外側のコンタクト手段を案内するためのガイド手段を設けることができる。
【０００８】
本発明の実施形態は、保護スリーブを有するセンサユニットであって、前記保護スリーブの中には、特に液圧ブロックの圧力を検出する少なくとも１つの測定セルと、実質的に垂直に立設されたプリント基板を備える回路支持体とが配置されており、前記プリント基板は、有利には両側で実装可能な、少なくとも１つの電子部品及び／又は電気部品を備える電子回路を含む、センサユニットを提供する。前記測定セルは、少なくとも１つの接続点を有しており、前記接続点を介して、前記測定セルの少なくとも１つの電気出力信号が取り出し可能である。前記回路支持体は、前記測定セルの前記少なくとも１つの電気出力信号を取り出して前記電子回路に印加する内部インターフェースを有する。外部インターフェースを介して、前記電子回路の出力信号が取り出し可能である。ここで、前記内部インターフェースは、前記保護スリーブの第１の端部に形成されており、前記外部インターフェースは、前記保護スリーブの第２の端部に形成されている。本発明によれば、実質的に垂直に立設された前記プリント基板は、ベース支持体を含み、前記ベース支持体は、第１の端面において、第１の継手形状部を有しており、前記第１の継手形状部は、前記回路支持体のベースボディに設けられた外側の継手形状部と接合されており、前記プリント基板の前記ベース支持体は、第２の端面において、第２の継手形状部を有しており、前記第２の継手形状部は、前記保護スリーブの前記第２の端部に配置された支持ユニットのベースボディに設けられた継手形状部と接合されており、前記支持ユニットは、前記プリント基板を、前記保護スリーブに対して支持している。
【０００９】
従属請求項に記載された手段及び実施形態によって、独立請求項１に記載されたセンサユニットを有利に改善することができる。
【００１０】
特に有利には、前記回路支持体の前記ベースボディは、内側の継手形状部を備える円筒として形成することができ、前記内側の継手形状部は、前記測定セルの外側輪郭に適合しており、前記測定セルを包囲している。有利には、回路支持体は、少なくとも、電気めっき可能な第１のプラスチックからなるプラスチックプレ射出成形体と、電気めっき不能な第２のプラスチックから形成されており、導体路及びコンタクト手段は、電気めっきプロセスによって、金属の表面コーティングとして、電気めっき可能なプラスチックの上に被着されている。択一的に、電気めっき不能な第２のプラスチックからなるプラスチックプレ射出成形体を製造して、電気めっき可能な第１のプラスチックの射出成形によって少なくとも部分的に被覆することができる。回路支持体は、例えば２成分射出成形技術（MID-2K-Technik）によって製造することができる。つまり、射出成形された回路支持体（Moulded Interconnected Device）は、２つの成分からなり、この２つの成分は、電気めっき可能な第１のプラスチックを含んでおり、この第１のプラスチックが、電気めっき不能な第２のプラスチックの射出成形によって少なくとも部分的に被覆されるのである。択一的に、電気めっき不能な第２のプラスチックを、電気めっき可能な第１のプラスチックの射出成形によって少なくとも部分的に被覆することもできる。プレ射出成形体の、部分的に突出した表面は、電気めっきプロセスによって金属の表面層で被覆され、その結果、外在する導体路及びコンタクト手段が形成される。このような射出成形されたＭＩＤ回路支持体の使用は、改善された成形自由度、及び、電気的機能と機械的機能との統合のために、センサユニットのための接続ユニットの小型化を推進することができるので、本使用事例において特に良好に適している。選択的には、この回路支持体は、レーザを用いて直接構造化可能なＭＩＤにより製造してもよい。この場合、ＭＩＤ回路支持体は射出成形体からなり、ここでは、導体路及びコンタクト手段の箇所がレーザを用いて構造化された後、電気めっきプロセスによって金属の表面層で被覆される。択一的に、回路支持体を、プラスチックの射出成形によって周囲が取り囲まれた打ち抜き部材として製造することもできる。
【００１１】
本発明のセンサユニットの有利な実施形態において、前記回路支持体の前記ベースボディに設けられた前記外側の継手形状部は、２つの収容ポケットを含み、前記収容ポケットは、それぞれ、前記プリント基板の電気的コンタクトのための少なくとも１つの第１のコンタクト手段を含むことができる。前記少なくとも１つの第１のコンタクト手段は、例えば、前記回路支持体の前記ベースボディの表面に外在する導体路を介して、前記測定セルの電気的コンタクトのための少なくとも１つの第２のコンタクト手段と接続することができる。
【００１２】
本発明のセンサユニットの別の有利な実施形態において、前記プリント基板の前記第１の継手形状部は、前記ベース支持体の切欠部として形成することができ、前記切欠部は、２つの対向する側において、それぞれガイド脚部によって画定されており、前記プリント基板の前記第１の継手形状部の２つの前記ガイド脚部は、それぞれ、前記回路支持体の前記外側の継手形状部の収容ポケットと接合されている。ここでは、ガイド脚部は、収容ポケットの中において内側のガイド縁部を介して案内する、及び／又は、保護スリーブの内側輪郭において外側のガイド縁部を介して案内することができる。収容ポケットの形状を相応に構成することによって、プリント基板が、要求に応じて、センサユニットの垂直軸に対して所定の小さい傾斜角度を有するようにすることができる。実質的に垂直に立設された前記プリント基板の前記ベース支持体は、前記第１の継手形状部の領域において、第１のコンタクト手段を有しており、前記第１のコンタクト手段は、前記回路支持体の前記ベースボディに設けられた前記外側の継手形状部の領域にある、対応する第１のコンタクト手段と共に、電気的な前記内部インターフェースを形成している。
【００１３】
本発明のセンサユニットの別の有利な実施形態においては、実質的に垂直に立設された前記プリント基板の前記ベース支持体は、前記第２の継手形状部の領域において、第２のコンタクト手段を有しており、前記第２のコンタクト手段は、対応する外部のコンタクト手段によってコンタクト可能であり、電気的な前記外部インターフェースを形成している。有利には、前記第２のコンタクト手段は、冗長的なコンタクト面として構成されており、前記冗長的なコンタクト面は、それぞれ、前記プリント基板のベース支持体の表面及び裏面に配置されている。前記外部のコンタクト手段は、例えば、２つの脚部を備えるコンタクトクリップとして構成することができ、２つの前記脚部は、前記プリント基板の前記ベース支持体の差込方向に対して垂直にコンタクト力が作用するように、冗長的なコンタクト面として構成された前記第２のコンタクト手段の上に被せられている。従って、残りのプリント基板、特に内部インターフェースは、力が作用しないままである。第２のコンタクト手段の冗長的な構成、及び、ベース支持体の差込方向に対して垂直に作用するコンタクト力により、例えば汚染によって引き起こされる非理想的なコンタクトのせいで、外部インターフェースの電気的及び／又は機械的接続が故障して機能不全が生じることがなくなる。上述したコンタクト形状によって、より大きなコンタクト力も可能となるので、場合によっては、例えば金のような高価なコンタクト材料を省略することができる。
【００１４】
本発明のセンサユニットの有利な別の実施形態においては、前記支持ユニットは、前記外部のコンタクト手段を案内するためのガイド手段を有することができる。これによって、外部インターフェースは、支持ユニットの構成によって、種々異なる顧客要求に可変的に適合させることができる。
【００１５】
本発明の実施例を図面に示し、以下の記載にてより詳細に説明する。図面では、同じ参照符号は、同じ又は類似の機能を担うコンポーネント乃至エレメントを表す。
【図面の簡単な説明】
【００１６】
【図１】図１は、本発明のセンサユニットの概略斜視図である。
【図２】図２は、保護スリーブ無しの、本発明のセンサユニットの概略斜視図である。
【図３】図３は、測定セルをセンサ支持体と接合する前の、図１又は２の本発明のセンサユニットのための、固定フランジ及び測定セルを備えたセンサ支持体の概略斜視図である。
【図４】図４は、回路支持体をセンサ支持体と接合する前の、図１又は２の本発明のセンサユニットのための、センサ支持体及び回路支持体の概略斜視図である。
【図５】図５は、図１又は２の本発明のセンサユニットのための、回路支持体が接合されたセンサ支持体の概略斜視図である。
【図６】図６は、図１又は２の本発明のセンサユニットのための、支持ユニットと接合されたプリント基板を接合する前の、保護スリーブと接合されたセンサ支持体の概略斜視図である。
【図７】図７は、支持ユニット及び保護スリーブのない、プリント基板を接合する前の、図１又は２の本発明のセンサユニットの概略斜視図である。
【図８】図８は、図１又は２の本発明のセンサユニットのためのプリント基板の概略斜視図である。
【図９】図９は、図１又は２の本発明のセンサユニットのためのプリント基板の概略斜視図である。
【図１０】図１０は、図１又は２の本発明のセンサユニットのための外部コンタクト手段の概略斜視図である。
【図１１】図１１は、外部コンタクト手段が被せられた、図１又は２の本発明のセンサユニットのためのプリント基板の概略斜視図である。
【図１２】図１２は、別の視角から見た、図１１の詳細図である。
【図１３】図１３は、外部コンタクト手段が被せられた、図１又は２の本発明のセンサユニットの上側部分の概略斜視図である。
【発明を実施するための形態】
【００１７】
図１〜１３から見て取れるように、図示した実施例による本発明のセンサユニット１は、保護スリーブ２０を含む。保護スリーブ２０の中には、特に車両ブレーキシステムにおける電磁弁制御された流体の液圧を検出する少なくとも１つの測定セル５０と、実質的に垂直に立設されたプリント基板４０を備える回路支持体６０とが配置されている。プリント基板４０は、有利には両側で実装可能に構成されており、例えば測定セル５０の生信号の信号増幅及び／又は処理を実施する少なくとも１つの電子部品及び／又は電気部品４４．１，４４．２を備える電子回路４４を含む。図示した実施例においては、電子回路４４は、特定用途向け集積回路（ＡＳＩＣ）４４．１と、相応の保護回路とを含む。測定セル５０は、液圧を少なくとも１つの電気出力信号に変換し、少なくとも１つの接続点５４を有する。この接続点４０を介して、測定セル５０の前記少なくとも１つの電気出力信号が取り出し可能である。回路支持体６０は、内部インターフェース２６を有しており、内部インターフェース２６は、測定セル５０の前記少なくとも１つの出力信号を取り出して、電子回路４４に印加する。さらに、電子回路４４の前記出力信号は、さらに、外部インターフェース２８を介して取り出し可能である。ここでは、内部インターフェース２６は、保護スリーブ２０の第１の端部２０．１に形成されており、外部インターフェース２８は、保護スリーブ２０の第２の端部２０．２に形成されている。保護スリーブ２０は、過度な機械的負荷からセンサユニット１の内部構造を保護する。本発明によれば、実質的に垂直に立設されたプリント基板４０は、ベース支持体４２を含む。ベース支持体４２は、第１の端面において第１の継手形状部４２．３を有しており、第１の継手形状部４２．３は、回路支持体６０のベースボディ６２に設けられた外側の継手形状部６２．１と接合されている。ベース支持体４２は、第２の端面において第２の継手形状部４２．１を有しており、第２の継手形状部４２．１は、保護スリーブ２０の第２の端部２０．２に配置された支持ユニット３０のベースボディ３２に設けられた、継手形状部３２．１と接合されている。支持ユニット３０は、プリント基板４０を、保護スリーブ２０に対して支持している。
【００１８】
図１及び２から見て取れるように、図示した実施例の保護スリーブ２０は中空円筒として形成されており、第１の端部２０．１において段部２２を有する。保護スリーブ２０は、段付けられた第１の端部２０．１においてセンサ支持体１０と接合されている。センサ支持体１０は、固定フランジ１２と、測定端子１８とを有する。測定端子１８は、センサユニット１が圧力センサユニットとして実施されている本実施例においては、セルフクリンチング（圧入）端子として構成されている。固定フランジ１２は、フランジ縁部１２．１を有する。フランジ縁部１２．１の上には保護スリーブ２０が支持されており、フランジ縁部１２．１を介して、センサユニット１を流体ブロック（図示せず）とかしめることができる。固定フランジ１２はさらに、段付けられたフランジ表面１４を含み、フランジ縁部１２．１とフランジ表面１４との間の段部１６は、図示した実施例においては接続領域として使用され、この接続領域の上に保護スリーブ２０が押しつけられている。付加的に、保護スリーブ２０を、段部１６からフランジ縁部１２．１への移行領域において、固定フランジ１２と溶接してもよい。保護スリーブ２０の段部２２乃至くびれ部の高さは、フランジ縁部１２．１を介したセンサユニット１と流体ブロック（図示せず）とのかしめが、かしめ工具を用いて可能となるように選択されている。保護スリーブ２０の下側の第１の端部２０．１に段部を設ける構成によって、有利には、センサ支持体１０の固定フランジ１２の直径をより小さくすることが可能となる。しかしながら択一的に、保護スリーブ２０に段部２２を設けないように構成することも可能である。
【００１９】
図２〜７から見て取れるように、回路支持体６０のベースボディ６２は、図示した実施例においては、内側の継手形状部６２．２を有する円筒として形成されている。内側の継手形状部６２．２は、測定セル５０の外側輪郭５６に適合しており、測定セル５０を包囲している。回路支持体６０のベースボディ６２に設けられた外側の継手形状部６２．１は、２つの収容ポケットを有する。これら２つの収容ポケットはそれぞれ、プリント基板４０の電気的コンタクトのための少なくとも１つの第１のコンタクト手段６４．１を含む。この少なくとも１つの第１のコンタクト手段６４．１は、回路支持体６０のベースボディ６２の表面に外在する導体路６４．２を介して、測定セル５０の電気的コンタクトのための少なくとも１つの第２のコンタクト手段６４．３に接続されている。プリント基板４０の第１の継手形状部４２．３は、ベース支持体４２の切欠部として構成されており、この切欠部は、２つの対向する側において、それぞれガイド脚部４２．４によって画定されている。プリント基板４０の第１の継手形状部４２．３の２つのガイド脚部４２．４は、それぞれ、回路支持体６０の外側の継手形状部６２．１の収容ポケットと接合されている。図示した実施例においては、プリント基板４０の２つのガイド脚部４２．４は、内側のガイド縁部４２．５を介して、回路支持体６０の収容ポケット６２．１の中に案内されている。付加的又は択一的に、プリント基板４０のガイド脚部４２．４を、保護スリーブ２０の内側輪郭２４において外側のガイド縁部を介して導くことが可能である。収容ポケット６２．１の形状を相応に構成することによって、プリント基板４０が、要求に応じて、センサユニット１の垂直軸に対して所定の小さい傾斜角度を有するようにすることができる。
【００２０】
図２〜７から見て取れるように、実質的に垂直に立設されたプリント基板４０のベース支持体４２は、第１の継手形状部４２．３の領域において、第１のコンタクト手段４６．１を有している。第１のコンタクト手段４６．１は、回路支持体６０のベースボディ６２に設けられた外側の継手形状部６２．１の領域にある、対応する第１のコンタクト手段６４．１と共に、内部の電気的インターフェース２６を形成している。垂直に立設されたプリント基板４０のベース支持体４２は、第２の継手形状部４２．１の領域において、第２のコンタクト手段４６．２を有している。第２のコンタクト手段４６．２は、図１０に図示された、対応する外部のコンタクト手段７０によってコンタクト可能であり、電気的な外部インターフェース２８を形成している。
【００２１】
図１及び２からさらに見て取れるように、支持ユニット３０のベースボディ３２は、プリント基板４０のための収容開口３２．１を有する。支持ユニット３０は、保護スリーブ２０の第２の端部２０．２において、遊びをもって可動的に差し込まれており、収容開口３２．１を介してプリント基板４０の上に被せられている。支持ユニット３０は、外側輪郭３４によって、プリント基板４０を、保護スリーブ２０の内側輪郭２３に対して支持している。支持ユニット３０はさらに、外部のコンタクト手段７０を案内するために、コンタクト収容ポケットとして構成されたガイド手段３２．２を有する。
【００２２】
図３〜５からさらに見て取れるように、固定フランジ１２は、例えばセルフクリンチング端子１８を用いて、流体ブロック（図示しない）とプレス乃至接続することができる。回路支持体６０とセンサ支持体１０とを回転不能に接続するため、フランジ表面１４には、上述した、保護スリーブ２０を圧着乃至溶接するための接続領域１６の他に、回路支持体６０に配置された接続ピン６６を収容するための接続開口１４．１が設けられている。回路支持体６０をセンサ支持体１０と接合するために、図示した実施例においては、フランジ表面１４の上に接着剤層６１が被着される。もちろん当業者は、回路支持体６０をセンサ支持体１０と回転不能に接合するために、他の公知の適当な接続技術を使用することが可能である。
【００２３】
図３〜５からさらに見て取れるように、図示した実施例において、圧力測定セルとして構成されている測定セル５０は、液圧ブロック内の流体の圧力に基づいて測定セル５０の測定ダイヤフラム５０．１が変形されるように、固定フランジ１２の管形の支持体１１の上に被せ嵌められている。測定ダイヤフラム５０．１の変形は、測定ブリッジ５２によって検出される。測定ブリッジ５２は、４つの接点５４と接続されており、図示した実施例においては、これらの接点５４はそれぞれ、ボンディング面として構成されている回路支持体６０の第２のコンタクト手段６４．３と、ボンディングワイヤ５８を介して電気的に接続されている。回路支持体６０は、有利にはいわゆる２成分射出成形によるＭＩＤ技術（MID-2K-Technik）で形成される。回路支持体６０は、射出成形された回路支持体６０として、プラスチックからＭＩＤ（Moulded Interconnected Device）技術で、特に２成分射出成形（Zweikomponentenspritzguss）で製造されている。ＭＩＤ技術によって３次元の回路構造が実現される。電気めっき可能な第１のプラスチックからなるプラスチックプレ射出成形体は、電気めっき不能な第２のプラスチックの射出成形によって部分的に被覆される。択一的に、電気めっき不能な第２のプラスチックを、電気めっき可能な第１のプラスチックの射出成形によって少なくとも部分的に被覆することも可能である。プレ射出成形体の、部分的に突出した表面は、電気めっきプロセスによってコーティングされて、金属の表面を備える。その結果、外在する導体路６４．２と、第１のコンタクト手段６４．１及び第２のコンタクト手段６４．３とが生じる。回路支持体６０は、高い構成自由度、特に電気的かつ機能的な機械の統合の点で優れている。これにより、センサユニット１は、特にコンパクトに構成される。図示した実施例においては、回路支持体６０は、少なくとも、電気めっき可能な第１のプラスチックからなるプラスチックプレ射出成形体と、電気めっき不能な第２のプラスチックとから形成されている。回路支持体６０の端面の上には、ボンディング面として構成されている第２のコンタクト手段６４．３が配置されており、第２のコンタクト手段６４．３は、外在する導体路６４．２を介して、外側の継手形状部６２．１の収容ポケットの中に配置されている、コンタクト面として構成された対応する第１のコンタクト手段６４．１と接続されている。回路支持体６０の第１のコンタクト手段６４．１と、導体路６４．２と、第２のコンタクト手段６４．３は、それぞれ所定の寸法を有する金属層として構成されており、回路支持体６０の電気めっき可能なプラスチックの上に、電気めっきプロセスによって被着されている。
【００２４】
センサユニット１の製造時には、測定セル５０は、センサ支持体１０と共に溶接される。その後、フランジ表面１４と回路支持体６０の底面との間に保持用接着剤層６１が設けられ、回路支持体６０が接続ピン６６を介して接続開口１４．１の中に圧入されて、接着される。図６から見て取れるように、保持用接着剤層６１の硬化完了後、保護スリーブ２０が上から押しつけられ、場合によっては点溶接によって固定される。
【００２５】
図６及び７からさらに見て取れるように、プリント基板４０は、回路支持体６０のベースボディ６２に設けられた外側の継手形状部６２．１の収容ポケットの中に差し込まれる。場合によってはそこで、回路支持体６０とプリント基板４０の間の導電接続を保証するため、かつ、プリント基板４０を固定するために、保持用接着剤５及び導電性接着剤３によって固定される。図６からさらに見て取れるように、保持用接着剤５は、回路支持体６０の収容ポケット６２．１の底面に設けられ、導電性接着剤３は、コンタクト面として構成されているプリント基板４０の第１のコンタクト手段４６．１の上に被着される。支持ユニット３０は、プリント基板４０の接合前又は接合後に、プリント基板４０の上に被せ嵌めることができる。場合によってはさらに、導電性接着剤乃至保持用接着剤を用いて、プリント基板４０と支持ユニット３０との間に機械的及び／又は電気的接続を形成することができる。内部インターフェース２６において、プリント基板４０と回路支持体６０との間の確実な電気的及び機械的接続を保証するために、内部インターフェース２６において導電性接着剤乃至保持用接着剤が硬化完了する前に、支持ユニット３０を被せ嵌めることができる。こうすることによって、プリント基板４０が保持スリーブ２０の内側輪郭２４にて支持されるので、内部インターフェース２６において、導電性接着剤３及び保持用接着剤５は、力乃至応力の作用なしに硬化できるようになる。図８及び９からさらに見て取れるように、プリント基板４０は、コンタクト面として構成されている第１のコンタクト手段４６．１と、冗長的なコンタクト面として構成されている第２のコンタクト手段４６．２とを備える平坦なベース支持体４２を有している。第２のコンタクト手段４６．２は、ベース支持体４２の両側に配置されている。図８及び９からさらに見て取れるように、プリント基板４０のベース支持体４２は、支持ユニット３０を案内してプリント基板４０の上に固定させるために、外部インターフェース２８の領域においてはより幅狭に形成され、第２の継手形状部４２．１に第１のガイド縁部が形成される。ベース支持体４２はさらに、ストッパ段部４２．２を有しており、プリント基板４０の第２の端面が支持ユニット３０の収容開口３２．１に収容されると、ストッパ段部４２．２に、支持ユニット３０が当接する。択一的に、プリント基板４０の第２の継手形状部４２．１を収容するための、支持ユニット３０の収容開口３２．１の深さを制限することによって、支持ユニット３０の上側の領域にもストッパを実現することができる。
【００２６】
図８及び９からさらに見て取れるように、プリント基板４０のベース支持体４２は、内部インターフェース２６の領域において、第１の継手形状部４２．３を形成するために、２つのガイド脚部４２．４を備えるフォーク形状と、切欠部を画定する２つの第２のガイド縁部４２．５とを有する。既に上述したように、プリント基板４０のガイド脚部４２．４を、付加的又は択一的に、保護スリーブ２０の内側輪郭２４において外側のガイド縁部を介して案内することもできる。プリント基板４０の第１の継手形状部４２．３のフォーク形状は、回路支持体６０の外側の継手形状部６２．１の収容ポケットに適合しており、従って、プリント基板４０のベース支持体４２を回路支持体６０の中に差し込んで、固定することができる。プリント基板４０は、図示した実施例においては両側で実装されており、少なくとも２つの層を有している。
【００２７】
図１０〜１３から見て取れるように、プリント基板４０の第２のコンタクト手段４６．２は、図示した実施例においては冗長的なコンタクト面として構成されており、これらの冗長的なコンタクト面は、それぞれ、プリント基板４０のベース支持体４２の表面及び裏面に配置されている。さらに、外部のコンタクト手段７０は、図示した実施例においては、２つの脚部７２を備えるコンタクトクリップとして構成されており、これら２つの脚部７２は、プリント基板４０のベース支持体４２の差込方向に対して垂直にコンタクト力Ｆｋが作用するように、冗長的なコンタクト面として構成された第２のコンタクト手段４６．２の上に被せられている。弾性のコンタクトクリップ乃至コンタクトフォークとして構成されている外部のコンタクト手段７０の幾何形状は、該外部のコンタクト手段７０を、コンタクト面として構成されているプリント基板４０の第２のコンタクト手段４６．２の上に被せ嵌めて、この第２のコンタクト手段４６．２と両側からコンタクトさせることが可能となるように、形成されている。外部のコンタクト手段７０には、例えば丸みづけられた差込領域を設けることができる。従って、弾性のコンタクトクリップ乃至コンタクトフォークとして構成されている外部のコンタクト手段７０の各コンタクト領域７４は、差し込まれるプリント基板４０に対して横方向にコンタクト力Ｆｋが形成され得るように、"フォーク先端部"乃至"フォーク脚部"７２において側方に位置しており、従って、残りのプリント基板４０，特に内部インターフェースには、力が作用しないままである。このような幾何形状によってより大きなコンタクト力Ｆｋが可能となるので、有利には、金のような高価なコンタクト材料を省略することが可能である。
【００２８】
上述のセンサユニットは、特に自動車のブレーキシステムにおいて圧力センサとして使用するために適しているが、この用途に限定されるものではない。特にプレミアムクラスのブレーキシステムでは、多数の圧力センサが、限られたスペースで使用される。それゆえ、所要スペースを最小化した圧力センサユニットは、特にこの用途に適している。
【図１】
2013205418.tif 000003
【図２】
2013205418.tif 000004
【図３】
2013205418.tif 000005
【図４】
2013205418.tif 000006
【図５】
2013205418.tif 000007
【図６】
2013205418.tif 000008
【図７】
2013205418.tif 000009
【図８】
2013205418.tif 000010
【図９】
2013205418.tif 000011
【図１０】
2013205418.tif 000012
【図１１】
2013205418.tif 000013
【図１２】
2013205418.tif 000014
【図１３】
2013205418.tif 000015
【手続補正書】
【提出日】平成25年5月9日(2013.5.9)
【手続補正１】
【補正対象書類名】特許請求の範囲
【補正対象項目名】全文
【補正方法】変更
【補正の内容】
【特許請求の範囲】
【請求項１】
保護スリーブ（２０）を備えるセンサユニットであって、
前記保護スリーブ（２０）の中には、液圧ブロックの圧力を検出する少なくとも１つの測定セル（５０）と、プリント基板（４０）を備える回路支持体（６０）とが配置されており、
前記プリント基板（４０）は、少なくとも１つの電子部品及び／又は電気部品（４４．１，４４．２）を備える電子回路（４４）を含み、
前記測定セル（５０）は、少なくとも１つの接続点（５４）を有しており、
前記接続点（５４）を介して前記測定セル（５０）の少なくとも１つの電気出力信号が取り出し可能であり、
前記回路支持体（６０）は、前記測定セル（５０）の前記少なくとも１つの電気出力信号を取り出して前記電子回路（４４）に印加する内部インターフェース（２６）を有しており、
外部インターフェース（２８）を介して、前記電子回路（４４）の出力信号が取り出し可能であり、
前記内部インターフェース（２６）は、前記保護スリーブ（２０）の第１の端部（２０．１）に形成されており、前記外部インターフェース（２８）は、前記保護スリーブ（２０）の第２の端部（２０．２）に形成されている、
センサユニットにおいて、
前記プリント基板（４０）は、ベース支持体（４２）を含み、
前記ベース支持体（４２）は、第１の端面において、第１の継手形状部（４２．３）を有しており、
前記第１の継手形状部（４２．３）は、前記回路支持体（６０）のベースボディ（６２）に設けられた外側の継手形状部（６２．１）と接合されており、
前記プリント基板（４０）の前記ベース支持体（４２）は、第２の端面において、第２の継手形状部（４２．１）を有しており、
前記第２の継手形状部（４２．１）は、前記保護スリーブ（２０）の前記第２の端部（２０．２）に配置された支持ユニット（３０）のベースボディ（３２）に設けられた継手形状部（３２．１）と接合されており、
前記支持ユニット（３０）は、前記プリント基板（４０）を、前記保護スリーブ（２０）に対して支持している、
ことを特徴とするセンサユニット。
【請求項２】
前記回路支持体（６０）の前記ベースボディ（６２）は、内側の継手形状部（６２．２）を備える円筒として形成されており、
前記内側の継手形状部（６２．２）は、前記測定セル（５０）の外側輪郭（５６）に適合しており、前記測定セル（５０）を包囲している、
ことを特徴とする請求項１記載のセンサユニット。
【請求項３】
前記回路支持体（６０）の前記ベースボディ（６２）に設けられた前記外側の継手形状部（６２．１）は、２つの収容ポケットを含み、
前記収容ポケットは、それぞれ、前記プリント基板（４０）の電気的コンタクトのための少なくとも１つの第１のコンタクト手段（６４．１）を含む、
ことを特徴とする請求項１又は２記載のセンサユニット。
【請求項４】
前記少なくとも１つの第１のコンタクト手段（６４．１）は、前記回路支持体（６０）の前記ベースボディ（６２）の表面に外在する導体路（６４．２）を介して、前記測定セル（５０）の電気的コンタクトのための少なくとも１つの第２のコンタクト手段（６４．３）と接続されている、
ことを特徴とする請求項３記載のセンサユニット。
【請求項５】
前記プリント基板（４０）の前記第１の継手形状部（４２．３）は、前記ベース支持体（４２）の切欠部として形成されており、
前記切欠部は、２つの対向する側において、それぞれガイド脚部（４２．４）によって画定されており、
前記プリント基板（４０）の前記第１の継手形状部（４２．３）の２つの前記ガイド脚部（４２．４）は、それぞれ、前記回路支持体（６０）の前記外側の継手形状部（６２．１）の収容ポケットと接合されている、
ことを特徴とする請求項３又は４記載のセンサユニット。
【請求項６】
前記プリント基板（４０）の前記ベース支持体（４２）は、前記第１の継手形状部（４２．３）の領域において、第１のコンタクト手段（４６．１）を有しており、
前記第１のコンタクト手段（４６．１）は、前記回路支持体（６０）の前記ベースボディ（６２）に設けられた前記外側の継手形状部（６２．１）の領域にある、対応する第１のコンタクト手段（６４．１）と共に、電気的な前記内部インターフェース（２６）を形成している、
ことを特徴とする請求項１から５のいずれか一項記載のセンサユニット。
【請求項７】
前記プリント基板（４０）の前記ベース支持体（４２）は、前記第２の継手形状部（４２．１）の領域において、第２のコンタクト手段（４６．２）を有しており、
前記第２のコンタクト手段（４６．２）は、対応する外部のコンタクト手段（７０）によってコンタクト可能であり、電気的な前記外部インターフェース（２８）を形成している、
ことを特徴とする請求項１から６のいずれか一項記載のセンサユニット。
【請求項８】
前記第２のコンタクト手段（４６．２）は、冗長的なコンタクト面として構成されており、
前記冗長的なコンタクト面は、それぞれ、前記プリント基板（４０）の前記ベース支持体（４２）の表面及び裏面に配置されている、
ことを特徴とする請求項７記載のセンサユニット。
【請求項９】
前記支持ユニット（３０）は、前記外部のコンタクト手段（７０）を案内するためのガイド手段（３２．２）を有している、
ことを特徴とする請求項７又は８記載のセンサユニット。
【請求項１０】
前記外部のコンタクト手段（７０）は、２つの脚部（７２）を備えるコンタクトクリップとして構成されており、
２つの前記脚部（７２）は、前記プリント基板（４０）の前記ベース支持体（４２）の差込方向に対して垂直にコンタクト力（Ｆｋ）が作用するように、冗長的なコンタクト面として構成された前記第２のコンタクト手段（４６．２）の上に被せられている、
ことを特徴とする請求項７から９のいずれか一項記載のセンサユニット。
【請求項１１】
前記プリント基板（４０）は、前記支持ユニット（３０）及び／又は前記回路支持体（６０）の径方向に対して垂直に立設されている、
ことを特徴とする請求項１から１０のいずれか一項記載のセンサユニット。
【請求項１２】
前記プリント基板（４０）は、前記センサユニットの垂直軸に対して所定の傾斜角度を有する、
ことを特徴とする請求項１から１０のいずれか一項記載のセンサユニット。